(57)【特許請求の範囲】
【請求項１】
筐体と、この筐体に固定されていて光ディスクに対してレーザ光を照射して情報を記録及び／又は再生するために、レーザ光を光ディスクの所定の位置に集光させる対物レンズと、この対物レンズを位置決めするための２軸アクチュエータとを有する光学ピックアップを備える光ディスク装置の調整方法において、
前記光学ピックアップのラジアル方向に対する端部に配置されて前記２軸アクチュエータの傾きを前記光ディスクの半径方向であるラジアル方向に調整を行なう第１の調整部材と、
前記光学ピックアップのタンジェンシャル方向に対する端部に配置されて前記２軸アクチュエータの傾きを前記光ディスクの半径方向と直交するタンジェンシャル方向に調整を行なう第２の調整部材とを備え、
前記光学ピックアップを光ディスク装置の前記筐体上に搭載し、前記光学ピックアップに対して外部から力を加えて傾きが変化しないように固定するとともに前記ラジアル方向に動作しなくなるようにし、この状態で光ディスクを再生しながら再生信号のジッターが最良になるように、前記第１の調整部材によって前記２軸アクチュエータの傾きを前記ラジアル方向に調整して固定するとともに、前記第２の調整部材によって前記２軸アクチュエータの傾きを前記タンジェンシャル方向に調整して固定することを特徴とする光ディスク装置の調整方法。
【請求項２】
前記第１の調整部材と前記第２の調整部材がともにねじから構成され、前記光学ピックアップに対して外部から力を加えて傾きが変化しないようにするとともに、前記光学ピックアップが外周方向に移動しないように固定しておき、この状態で調整ドライバで調整することを特徴とする請求項１に記載の光ディスク装置の調整方法。
【請求項３】
光ディスク上にトラックがスパイラル状に形成され、２軸アクチュエータによって対物レンズが外周方向にずれていき、光ディスクが１回転すると対物レンズが内周方向へ１トラックだけジャンプする動作を繰返しながら同一トラックだけを再生して調整を行なうことを特徴とする請求項１に記載の光ディスク装置の調整方法。
【発明の詳細な説明】
【０００１】
【発明の属する技術分野】
本発明は、光ディスク装置の調整方法の改良、とくに構造を単純にすることができる光ディスク装置の調整方法に関するものである。
【０００２】
【従来の技術】
近年、光ディスクを用いて情報の記録・再生が行われており、これらの光ディスクは大量の情報を記録できるという特徴を有している。この光ディスクに情報を記録し再生するものとして、光学ピックアップが用いられている。光学ピックアップが再生を行う場合、レーザダイオードから出力されたレーザ光を対物レンズを介して光ディスクに照射して、その戻り光を検出することにより行われる。また光学ピックアップが記録を行う場合、光ディスクに対してレーザ光を照射して光ディスクの結晶相を変化させて行う相変化型記録方法や、光ディスクに対してレーザ光を照射してキュリー温度まで加熱させて外部磁場を加える光磁気記録方法等を用いることにより行われる。
【０００３】
光ディスクに情報を記録し再生する場合、対物レンズから出射するレーザ光が正しく光ディスクに対して照射されるように、対物レンズの角度を調整する必要がある。図５は従来の角度調整機構を有する光ディスク装置の一例を示す構成図であり、図５を参照して光ディスク装置１について詳しく説明する。
図５の光ディスク装置１は光学ピックアップ２、スライド軸３、３、角度調整機構４、スピンドルモータ５等を有しており、光学ピックアップ２はスライド軸３、３によりラジアル方向に移動可能に保持されている。スライド軸３、３は角度調整機構４により保持されており、角度調整機構４はスライド軸３、３の端部３ａ、３ｂの高さを調整する。また、光ディスクＤはターンテーブル６に保持されて、ターンテーブル６には光ディスクＤを回転させるためのスピンドルモータ５が接続されている。スピンドルモータ５は矢印Ｒ１方向に揺動可能に配置されている。
【０００４】
従来の光ディスク装置１において対物レンズの角度調整は以下のように行われている。まずレーザダイオード、ビームスプリッタ、対物レンズ等を組み合わせて光学ピックアップ２を作製し、その段階で対物レンズの角度調整を行う。
そして、作製された光学ピックアップ２が光ディスク装置１の筐体内に配置される。その後、この筐体に配置されている状態で対物レンズの角度が検査され、検査結果に基づいて光学ピックアップ２全体、あるいはターンテーブル６の角度調整を行う。
【０００５】
この光学ピックアップ２全体あるいはターンテーブル６の角度調整は角度調整機構４及びスピンドルモータ５により行われている。具体的には、角度調整機構４がスライド軸３、３の高さを調整することにより、スライド軸３、３に保持されている光学ピックアップ２のラジアル方向及びタンジェンシャル方向の傾きを調整する。これと同時にスピンドルモータが矢印Ｒ１方向に揺動して、光ディスクＤを傾けることにより、光学ピックアップ２に対する角度を調整する。このように、必要に応じて光ディスクＤと対物レンズとの角度を正しい位置に調整している。
【０００６】
【発明が解決しようとする課題】
しかし、光ディスク装置に予め角度調整機構４を配置することは、光ディスク装置１全体の構成を複雑にし、また光ディスク装置１の小型化を図ることができないという問題がある。すなわち、角度調整機構４がスライド軸３、３を移動可能に保持するとともに、スピンドルモータ５を揺動可能にする機構を設けなければならず、構造が複雑になり、小型化を図ることができない。さらに、この角度調整機構の存在が光ディスク装置１のコストを上げてしまうという問題がある。
【０００７】
そこで本発明は上記課題を解消し、構造がシンプルであって安価な小型ディスク装置の調整方法を提供することを目的としている。
【０００８】
【課題を解決するための手段】
上記目的は、本発明にあっては、筐体と、この筐体に固定されていて光ディスクに対してレーザ光を照射して情報を記録及び／又は再生するために、レーザ光を光ディスクの所定の位置に集光させる対物レンズと、この対物レンズを位置決めするための２軸アクチュエータとを有する光学ピックアップを備える光ディスク装置の調整方法において、
前記光学ピックアップのラジアル方向に対する端部に配置されて前記２軸アクチュエータの傾きを前記光ディスクの半径方向であるラジアル方向に調整を行なう第１の調整部材と、
前記光学ピックアップのタンジェンシャル方向に対する端部に配置されて前記２軸アクチュエータの傾きを前記光ディスクの半径方向と直交するタンジェンシャル方向に調整を行なう第２の調整部材とを備え、
前記光学ピックアップを光ディスク装置の前記筐体上に搭載し、前記光学ピックアップに対して外部から力を加えて傾きが変化しないように固定するとともに前記ラジアル方向に動作しなくなるようにし、この状態で光ディスクを再生しながら再生信号のジッターが最良になるように、前記第１の調整部材によって前記２軸アクチュエータの傾きを前記ラジアル方向に調整して固定するとともに、前記第２の調整部材によって前記２軸アクチュエータの傾きを前記タンジェンシャル方向に調整して固定することを特徴とする光ディスク装置の調整方法により達成される。
ここで、前記第１の調整部材と前記第２の調整部材がともにねじから構成され、前記光学ピックアップに対して外部から力を加えて傾きが変化しないようにするとともに、前記光学ピックアップが外周方向に移動しないように固定しておき、この状態で調整ドライバで調整するようにしてよい。また光ディスク上にトラックがスパイラル状に形成され、２軸アクチュエータによって対物レンズが外周方向にずれていき、光ディスクが１回転すると対物レンズが内周方向へ１トラックだけジャンプする動作を繰返しながら同一トラックだけを再生して調整を行なうようにしてよい。
【０００９】
本発明では、光学ピックアップにおける対物レンズと光ディスクとの角度関係を調整する際に、調整部材を用いて２軸アクチュエータの角度を調整することにより行われる。これにより、低コストで安価に光ディスク装置を製造することができるとともに、光学ディスク装置の構造をシンプルにすることができる。
【００１０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１１】
図１は、本発明の光ディスク装置の好ましい実施の形態を示しており、図１を参照して光ディスク装置１０について詳しく説明する。図１の光ディスク装置１０は例えばコンパクトディスク（ＣＤ）、スーパーオーディオＣＤ、光磁気ディスク、ＣＤ−ＲＷ（Ｃｏｍｐａｃｔ  Ｄｉｓｃ  Ｒｅｗｒｉｔａｂｌｅ）、ＤＶＤ−ＲＷ（Ｄｉｇｉｔａｌ  Ｖｉｄｅｏ  Ｄｉｓｃ  Ｒｅｗｒｉｔａｂｌｅ）等のディスク記録再生装置で、光ディスクＤの傾きに対するジッター変化の許容量が少ない光ディスクに適用される装置である。光ディスク装置１０は、光ディスク１１を回転駆動する駆動手段としてのスピンドルモータ１２と、回転する光ディスク１１の信号記録面に対して光ビームを照射して信号を記録し、この信号記録面からの戻り光ビームにより記録信号を再生する光学ピックアップ２０及びこれらを制御する制御部１３を備えている。ここで、制御部１３は、光ディスクコントローラ１４，信号復調器１５，誤り訂正回路１６，インターフェイス１７、ヘッドアクセス制御部１８及びサーボ回路１９を備えている。
【００１２】
光ディスクコントローラ１４は、スピンドルモータ１２を所定の回転数で駆動制御する。信号復調器１５は、光学ピックアップ２０からの記録信号を復調して誤り訂正し、インターフェイス１７を介して外部コンピュータ等に送出する。これにより、外部コンピュータ等は、光ディスク１１に記録された信号を再生信号として受け取ることができるようになっている。ヘッドアクセス制御部１８は、光学ピックアップ２０を例えば光ディスク１１上の所定の記録トラックまでトラックジャンプ等により移動させる。サーボ回路１９は、この移動された所定位置において、光学ピックアップ２０の二軸アクチュエータに保持されている対物レンズをフォーカシング方向及びトラッキング方向に移動させる。
【００１３】
図２と図３は光学ピックアップのシステム図を示しており、図２と図３を参照して光学ピックアップ２０について詳しく説明する。光ディスク装置２０は、光源であるレーザダイオード２１、ビームスプリッタ２２、コリメータレンズ２３、２軸アクチュエータ２４、対物レンズ２５、光検出器であるフォトディテクタ２６等からなっている。レーザダイオード２１は光ディスクＤに情報を記録し再生するためのレーザ光を出射するものであり、出射されたレーザ光はビームスプリッタ２２に入射される。ビームスプリッタ２２は入射されたレーザ光をコリメータレンズ２３に出力し、光ディスクＤで反射された戻り光をフォトディテクタ２６に導くものである。
【００１４】
ビームスプリッタ２２から出射されたレーザ光はコリメータレンズ２３で平行光にされて対物レンズ２５により光ディスクＤの記録面に集光される。このとき、対物レンズ２５に接続されている２軸アクチュエータ２４がフォーカスサーボ及びトラッキングサーボを行い、光ディスクＤの所定の位置にレーザ光が集光するようにする。光ディスクＤから反射された戻り光は、対物レンズ２５、コリメータレンズ２３、ビームスプリッタ２２を経てフォトディテクタ７に入射される。フォトディテクタ２６は戻り光に基づいて光ディスクＤに記録されている情報等を検出する。
なお、光ディスクＤに情報を記録する際には、光ディスクＤの記録面をレーザ光によりキュリー温度まで上昇させて、その後コイル等の磁界発生部により光ディスクに磁場を書き込み、その後、光ディスクＤが冷却されて、光ディスクＤに情報を記録する方法と、光ディスクＤにレーザ光を照射して、光ディスクＤの記録面の結晶相を変えることにより、記録面の反射率を変えて記録する方法等により行われる。
【００１５】
次に図３を参照して調整部材５０、５１について詳しく説明する。調整部材５０、５１は例えばねじからなっていて、調整ドライバによって操作される。調整部材５０は光学ピックアップ２０のラジアル方向に対する端部に配置されていて、調整部材５１は光学ピックアップ２０のタンジェンシャル方向に対する端部に配置されている。調整部材５０、５１は２軸アクチュエータ２４と接続されて、２軸アクチュエータ２４をラジアル方向ＲＤ及びタンジェンシャル方向ＴＤに対して固定する。
【００１６】
調整ドライバが調整部材５０、５１を矢印Ｒ１０方向に回転させると、調整部材５０、５１が矢印Ｙ方向に移動するとともに、２軸アクチュエータ２４も調整部材５０、５１に押されて矢印Ｙ方向に移動する。これにより、調整部材５０は２軸アクチュエータ２４をラジアル方向ＲＤに調整することができ、調整部材５１は２軸アクチュエータ２４をタンジェンシャル方向ＴＤに調整することができる。
【００１７】
図１乃至図３を参照して光ディスク装置１０における対物レンズ２５の角度を調整する方法について詳しく説明する。
まず、図２のレーザダイオード２１、ビームスプリッタ２２、対物レンズ２５等が組み合わされて、光学ピックアップ２０が作製される。そして、この光学ピックアップ２０における対物レンズ２５の角度調整を行う。この角度調整は光学ピックアップ２０を評価治具等に配置して光ディスクＤを再生し、必要に応じて対物レンズ２５の傾きを外部から調整することにより行われる。
【００１８】
次に図３に示すように、この組み立てられた光学ピックアップ２０が光ディスク装置１０の筐体１０Ａに搭載されて、この状態で光ディスクＤの再生を行う。このとき、光学ピックアップ２０には、外部から矢印Ｙ２方向に力が加えられて、光学ピックアップ２０自体の傾きが変化しないようにする。すると、光学ピックアップ２０は固定されて、ラジアル方向ＲＤに動作しなくなる。
【００１９】
光ディスクＤの内周面方向に向かって１トラックジャンプを行う。これにより、光学ピックアップ２０が固定されていても、対物レンズ２５がトラック中心中心からずれなくなり、正確に再生信号を検出することができる。すなわち、通常対物レンズ２５は２軸アクチュエータ２４によって外周方向にずれていき、その後光学ピックアップ２０が外周方向に移動して、２軸アクチュエータ２４の反作用で元に戻る動作を繰り返す。しかし、光学ピックアップ２０は固定されているため、トラック中心からずれないように対物レンズ２５を移動することができる。
ここで、１トラックジャンプとは、光ディスクＤが１周したところで、内周方向へ１トラックだけ対物レンズ２５を動かして、いつも同じトラックだけを再生させる動作を意味する。この状態で光学ピックアップ２０が光ディスクＤの再生を行い、再生信号のジッターが最良になるように２軸アクチュエータ２４を調整し、対物レンズ２５の角度を調整する。
【００２０】
この対物レンズ２５の角度のずれを調整するために、調整部材５０、５１が調整ドライバにより操作されて、対物レンズ２５の角度が調整される。具体的には、調整ドライバが調整部材５０、５１を矢印Ｒ１０方向に回転し、調整部材５０、５１が矢印Ｙ方向に移動すると、２軸アクチュエータ２４がラジアル方向ＲＤ及びタンジェンシャル方向ＴＤに調整されて固定される。
【００２１】
上記実施の形態によると、光ディスク装置１０に特別な調整動作機構を設けることなく、光ディスク装置の各構成部分による傾きをキャンセルし、対物レンズ２５と光ディスクＤとの角度関係を最適化する事ができる。
また、光ディスク装置１０に傾きを補正する調整機構がねじ等の安価で単純な部材からなっているため、光ディスク装置１０の低コスト、小型化、シンプルな構成を実現することができる。さらに、筐体に対して光学ピックアップ２０が搭載された後、光学ピックアップ２０の角度を調整するため、光学ピックアップ２０の角度調整工程を省くことができる。
さらに、従来は、図５の光ディスク装置１においてはスライド軸３、３を調整して光学ピックアップ２の角度調整を行っているが、図１の光ディスク装置１０においては、光学ピックアップ２０単体のみで対物レンズ２５の角度を調整することができる。
【００２２】
ところで、本発明は、上記実施の形態に限定されない。
図４に示すスパイラル状に形成された光ディスクを用いた場合、光学ピックアップを固定して１トラックジャンプをして調整するのであるが、これに変えて、同心円状に信号を記録した光ディスクＤを用いて１トラックジャンプを行わないようにしてもよい。また、光学ピックアップ２０の固定を行わずに、調整部材５０の側圧の回転力で調整し、光学ピックアップ２０が傾かないようにしてもよい。
【００２３】
【発明の効果】
以上説明したように、本発明によれば、構成がシンプルであって安価な小型の光ディスク装置を提供することができる。
【図面の簡単な説明】
【図１】本発明の光ディスク装置の好ましい実施の形態を示すシステム図。
【図２】本発明の光ディスク装置における光学ピックアップを示すシステム図。
【図３】本発明の光ディスク装置における光学ピックアップを示すシステム図。
【図４】光ディスク装置の記録面を示す構成図。
【図５】従来の光ディスク装置の一例を示す構成図。
【符号の説明】
１０・・・光ディスク装置、２０・・・光学ピックアップ、２１・・・レーザダイオード、２５・・・対物レンズ、５０・・・調整部材、Ｄ・・・光ディスク。
【図１】
0003985113.tif 000002
【図２】
0003985113.tif 000003
【図３】
0003985113.tif 000004
【図４】
0003985113.tif 000005
【図５】
0003985113.tif 000006